(57)【要約】【課題】従来、化粧パフは液が蒸発しやすくエナメル特に、ラメなどが落ちにくかったが、液の蒸発を抑えエナメル等落ちにくいものを落しやすくし、使用後に繊維が残りにくく、液が蒸発しにくいパフを提供する。また、手に持って使用するだけでなく、用途に応じて指に嵌めても広げても使用できるようにしたパフを提供する。【解決手段】特に綿の表面部分にポリエステル等化学繊維を混ぜて落し難いエナメル等を落しやすくし且つ、保湿も確保できる様にした本発明の綿とポリエステル等化学繊維の混合パフにビニール等のコーティングを施す事で、液が蒸発しにくくした使い勝手の良いパフを提供することを課題とする。また、パフのコーティング材側面から液を補充できるようにコーティング材に穴を施したものである。更に、パフ本体を混合綿とコーティング材の２重または、袋状にすることで指にはめても広げても使用できるようにしたものである。【選択図】図１
2008100027.tif 000002
【特許請求の範囲】
【請求項１】
液の蒸発を抑えエナメル等落ちにくいものを落しやすくし、使用後に繊維が残りにくく、液が蒸発しにくいパフを提供する。
【請求項２】
パフのコーティング材側面から液を補充できるようにコーティング材に穴を施したものである。また、パフ本体を混合綿とコーティング材を２重または、袋状にして指に嵌めたり広げて使用できるようにしたものである。
【発明の詳細な説明】
【技術分野】
【０００１】  本発明は、パフの素材や形態に関する。
【背景技術】
【０００２】  従来のパフは主に綿だけで作られていて、液が蒸発しやすい上に落ちにくく、特にエナメルを落した後に綿の繊維が残ることが多く、パフの形状が画一的であった。また、顔用の保湿用パフは薄く液が蒸発しやすい上に、液がパフの縁から滴り落ちて使い勝手が悪かった。
【特許文献１】
【非特許文献１】
【発明の開示】
【発明が解決しようとする課題】
【０００３】  そこで本発明は、液の蒸発を抑えエナメル等落ちにくいものを落しやすくし、使用後に繊維が残りにくく、液が蒸発しにくいパフを提供する。また、手に持って使用するだけでなく、用途に応じて指に嵌めても広げても使用できるようにしたパフを提供する。
【課題を解決するための手段】
【０００４】  上記課題を達成するための第１の課題解決手段は、特に綿の表面部分にポリエステル等化学繊維を混ぜて落し難いエナメル等を落しやすくし且つ、保湿も確保できる様にした本発明の綿とポリエステル等化学繊維の混合パフにビニール等のコーティングを施す事で、液が蒸発しにくくした使い勝手の良いパフを提供することを課題とする。また、その他に袋状にして指にはめたり広げて使えるようにする。【０００５】  更に、ポリマーやポリマー繊維など保水効果の高いものを使用することで、長時間の使用を可能にする。【０００６】  また、第２の課題解決手段は、上記第１の課題解決手段のコーティング材側面から液を補充できるようにコーティング材に穴を施したものである。更に、パフ本体を混合綿とコーティング材の２重または、袋状にすることで指にはめても広げても使用できるようにしたものである。【０００７】  その他に、パフ本体を指に合わせて細身にしたり、伸縮させたり液体に触れると縮む性質の素材を使用することで、より指にフィットして外れにくく安定したものを提供する。【０００８】  また、第３の課題解決手段は、顔用パフに化粧水等の蒸発を抑えるため、ビニール等コーティング材を施し、液の補充が簡単にできるようにコーティング材に穴を施したものである。この時、コーティング材をパフの縁よりやや内側まで施すことで、使用中に縁から液が滴ることを防ぐ。また、顔用のパフは各部位に沿って切り取り線を施し、各パーツごとに切り離して部位別に使えるようにしたものである。【０００９】  上記の第１の課題解決手段による作用は次の通りである。すなわち、本発明の綿と化学繊維の混合パフを使用すると液が蒸発しにくくエナメル等が落しやすく手が汚れにくい。また、市販のパフの様に四角いだけでなく袋状にすることで指にはめて使用でき、より機能的に使える。この時、片面それぞれを綿とコーティング材の袋状にしたパフは、裏返せば表面に化学繊維を含まない普通の綿パフとして使用できる。更に、本体を袋状にして片側にのみ綿を施すと指全体が液に触れないので指がふやけにくく、コーティング材を成形可能なアルミなどにすれば、指に巻いて固定しやすい。その他には、ポリマーなど保水効果の高い物を使用することで、長時間の保湿や湿布などに使用できる。【００１０】  また、第２の課題解決手段による作用は、パフの外側から直に液を補充できるようにしたもので、本体を使用したまま液の補充が可能である。【００１１】  また、第３の課題解決手段による作用は、従来薄くて乾きやすかった顔用パフに化粧水等の蒸発を抑えるためのビニール等コーティング材を施すことにより、液が蒸発しにくくなる。また、コーティング材をパフの縁よりやや内側まで施すことで、使用中に縁から液が滴ることを防ぐ。更に、各部位に沿って切り取り線を施すことで、各パーツごとに切り離して部位別に単独で使用することができる。
【発明の効果】
【００１２】  以上に詳述したように、本発明の第１の実施形態のパフは、液が蒸発しにくく手が汚れにくい。また、化学繊維など異なるものを混ぜることでエナメルやラメ等落ちにくいものを落しやすくし、指にはめても使用できる。更に、ポリマー繊維など保水効果の高い素材を使用することで、薬の塗布、長時間の保湿などにも適している。その他、あかぎれなどの保湿にはグローブ型や感染する水虫用には使い捨て用ソックス型を使用することで感染を防ぐ。【００１３】  また、第２の実施形態のパフは、液を蒸発しにくくするために施した外側のコーティング材側から使用しながら容易に液を補充、浸透させることができるためパフを外す手間が省ける。更に、綿本体を裏返して使用すれば化学繊維などの【００１４】  また、第３の実施形態のパフは、従来の薄くて乾きやすかった顔用パフに化粧水等の蒸発を抑えるためのビニール等のコーティング材を施し、より液が蒸発しにくくした。また、コーティング材をパットの縁よりやや内側まで施すことで、使用中に縁から液が滴ることを防ぐ。更に、各部位に沿って切り取り線を施すことで、各パーツごとに切り離して部位別に単独で使用することができる。
【発明の実施をするための最良の形態】
【００１５】  以下、本発明の実施の形態を図１〜図４に基づいて説明する。
【００１６】  図においては、１Ａ、１Ｂ、１Ｃ、１Ｄは本発明のパフ本体で、綿と化学繊維などの混合パフ２ａ、綿のパフ２ｂ、コーティング材３、穴４、縁５、切取り線６とからなる。
【００１７】  以下、上記構成を説明する。本発明のパフ１Ａは、綿と化学繊維の混合パフ２ａと外側がビニール等コーティング材３からなるパフである。１Ｂは、綿と化学繊維の混合パフ２ａまたは、綿のパフ２ｂと外側がビニール等コーティング材３からなる穴４あきパフである。１Ｃのパフは綿と化学繊維の混合パフ２ａで、外側がビニール等コーティング材３からなる袋型パフである。更に、１Ｄの顔用パフは縁からの液漏れを防ぐためパット本体縁内側部分にもコーティング３を施し、各部位ごとに切り離せるよう切り取り線６を施したものである。
【図面の簡単な説明】
【００１８】
【図１】本発明の第１の実施形態を示すパフの分離正面図
【図２】本発明の第２の実施形態を示すパフの分離正面図
【図３】本発明の第２のその他の実施形態を示すパフの側断面図
【図４】本発明の第３の実施形態を示す顔用パフの裏面図
【符号の説明】
【００１９】  １Ａ、１Ｂ、１Ｃ、１Ｄ、１Ｅ    パフ              ４      穴
２ａ                綿と化学繊維の混合パフ        ５      縁
２ｂ                綿パフ                        ６      切り取り線
３                  コーティング材
【図１】
2008100027.tif 000003
【図２】
2008100027.tif 000004
【図３】
2008100027.tif 000005
【図４】
2008100027.tif 000006
【手続補正書】
【提出日】平成19年7月21日(2007.7.21)
【手続補正１】
【補正対象書類名】特許請求の範囲
【補正対象項目名】全文
【補正方法】変更
【補正の内容】
【特許請求の範囲】
【請求項１】
綿にポリエステルなどの化繊を混合してエナメルやラメなど落しにくいものを落しやすくして、使用後に繊維が残りにくくしたパフを提供する。
【請求項２】
ビニールや樹脂、プラスティックなどで作った穴の開いたコーティング材を綿や綿にポリエステルなどの化繊を混合したパフの側面の一部または、全面に施して２重にしたもの。また、袋状にして指に嵌めたり広げて使用できるようにしたもので、コーティングすることで液の蒸発を抑えエナメルやラメ、スカルプチュアなど落ちにくいものを落しやすくし、使用後に繊維が残りにくくしたパフを提供する。
【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
綿と化繊との混合綿でできたパフの表面の片面または両面をビニールや樹脂などの膜で一部または全面を被い液の蒸発を抑えて、従来落しにくかったエナメルやラメなどを落しやすくして且つ、使用後に繊維が残りにくくしたパフを提供する。
【請求項２】
幾つもの穴を施したビニールや樹脂などの膜（皮膜材）を綿や綿にポリエステルなどの化繊を混合したパフの片面または両面の一部または全面に施したもの。その他に、袋状（二重）にして指に嵌めたり広げても使用できるようにしたもので、穴を施したビニールや樹脂などの膜（皮膜材）でコーティングすることで液の蒸発を抑えつつ使用しながら液の補充を出来るようにしてエナメルやラメ、スカルプチュアなど落ちにくいものを落しやすくし更には、使用後に繊維が残りにくくしたパフを提供する。